(57)【特許請求の範囲】
【請求項１】
ＩＰネットワークに接続され前記ＩＰネットワークを介し通話が可能な複数の電話端末からなるインターネット電話装置において、
前記複数の電話端末のうち少なくとも１つは、
複数の電話端末の電話番号を１つの着信グループの電話番号として設定可能なテーブルと、
着信を検出する検出手段と、
前記検出手段により着信が検出されると、前記テーブルに設定された電話番号に応じた前記複数の電話端末に呼出を行う呼出手段と、
前記呼出に応答した電話端末と発信者の電話端末との間の回線を接続するとともに、前記着信を検出した電話端末と前記呼出に応答した電話端末とが異なる場合、前記呼出に応答した第１の電話端末の電話番号を前記発信者の電話端末に通知し、かつ前記発信者の電話端末の電話番号を前記第１の電話端末に通知する接続手段と
を備えたことを特徴とするインターネット電話装置。
【請求項２】
請求項１において、
前記着信を検出した電話端末と前記呼出に応答した電話端末とが異なる場合、前記接続手段は、前記呼出に応答した第１の電話端末と前記発信者の電話端末との間の回線を前記着信を検出した第２の電話端末を介して接続することを特徴とするインターネット電話装置。
【請求項３】
請求項１において、
前記テーブルに複数の電話端末の電話番号を１つの着信グループの電話番号として設定する設定手段を備え、
前記設定手段は、
前記着信グループに属する任意の電話端末のテーブルにこの着信グループに属する全ての電話端末の電話番号を設定する第１の設定手段と、
前記第１の設定手段により設定された電話端末のテーブルの設定内容を前記着信グループに属する電話番号の未設定の電話端末に順次送信してこれらの電話端末のテーブルに順次設定させる第２の設定手段と、
前記第２の設定手段により前記着信グループに属する全ての電話端末のテーブルに電話番号が設定された後、新たな電話端末が前記着信グループに追加されると前記新たな電話端末に前記着信グループに属する任意の電話端末のテーブルの設定内容を送信して前記新たな電話端末のテーブルにこの新たな電話端末の電話番号とともに設定させる第３の設定手段と、
前記第３の設定手段により設定された前記新たな電話端末のテーブルの内容を入力して前記着信グループに属する電話端末に順次送信しこれらの電話端末のテーブルに順次設定させる第４の設定手段と
を有することを特徴とするインターネット電話装置。
【請求項４】
ＩＰネットワークに接続される複数の電話端末の電話番号を１つの着信グループの電話番号としてテーブルに設定する第１のステップと、着信を検出する第２のステップと、前記第２のステップの処理に基づき着信が検出されると、前記テーブルに設定された電話番号に応じた複数の電話端末に呼出を行う第３のステップと、前記第３のステップの処理に基づく呼出に応答した電話端末と発信者の電話端末との間の回線を接続するとともに、前記着信を検出した電話端末と前記呼出に応答した電話端末とが異なる場合、前記呼出に応答した第１の電話端末の電話番号を前記発信者の電話端末に通知し、かつ前記発信者の電話端末の電話番号を前記第１の電話端末に通知する第４のステップとをコンピュータに実行させるためのプログラム。
【請求項５】
請求項４において、
前記着信を検出した電話端末と前記呼出に応答した電話端末とが異なる場合、前記呼出に応答した第１の電話端末と前記発信者の電話端末との間の回線を前記着信を検出した第２の電話端末を介して接続する第５のステップをコンピュータに実行させるためのプログラム。
【請求項６】
請求項４において、
前記着信グループに属する任意の電話端末のテーブルにこの着信グループに属する全ての電話端末の電話番号を設定する第６のステップと、前記第６のステップの処理に基づき設定された電話端末のテーブルの設定内容を前記着信グループに属する電話番号の未設定の電話端末に順次送信してこれらの電話端末のテーブルに順次設定させる第７のステップと、前記第７のステップの処理に基づき前記着信グループに属する全ての電話端末のテーブルに電話番号が設定された後、新たな電話端末が前記着信グループに追加されると前記新たな電話端末に前記着信グループに属する任意の電話端末のテーブルの設定内容を送信して前記新たな電話端末のテーブルにこの新たな電話端末の電話番号とともに設定させる第８のステップと、前記第８のステップの処理に基づき設定された前記新たな電話端末のテーブルの内容を入力して前記着信グループに属する電話端末に順次送信しこれらの電話端末のテーブルに順次設定させる第９のステップとをコンピュータに実行させるためのプログラム。
【発明の詳細な説明】
【０００１】
【発明の属する技術分野】
本発明は、インターネットプロトコル（ＩＰ）を利用して通話が可能なインターネット電話装置及びプログラムに関する。
【０００２】
【従来の技術】
近年は、ＩＰネットワーク（インターネット）を介して通話することができるＩＰ電話端末が普及してきた。こうしたＩＰ電話端末は、ＩＰネットワークに接続され、利用者が相手番号をダイヤルすると、この相手番号がＩＰアドレスに変換されてＩＰネットワークに発信され、ＩＰアドレスに応じた相手ＩＰ電話端末に着信が伝達される。これにより、相手ＩＰ電話端末の呼出が行われ相手ＩＰ電話端末がこの呼出に応答すると、双方のＩＰ電話端末間で通話が開始される。
【０００３】
【発明が解決しようとする課題】
このようなＩＰ電話システムでは、１つのＩＰ電話端末から１つのＩＰ電話端末に呼出が行えるのみであり、ボタン電話装置やＰＢＸのように発信者が例えばグループの代表電話番号を発信してそのグループに属する複数の子機を同時に呼び出すことができなかった。
【０００４】
したがって、本発明は、インターネットを介して通話が可能なＩＰ電話システムにおいて、発信者のＩＰ電話端末への発信時に複数のＩＰ電話端末に対する呼出を可能にすることを目的とする。
【０００５】
【課題を解決するための手段】
このような課題を解決するために本発明は、ＩＰネットワーク（インターネット）に接続されＩＰネットワークを介し通話が可能な複数の電話端末からなる電話装置において、複数の電話端末の少なくとも１つに、複数の電話端末の電話番号を１つの着信グループの電話番号として設定可能なテーブルと、着信を検出する検出手段と、検出手段により着信が検出されると、テーブルに設定された電話番号に応じた複数の電話端末に呼出を行う呼出手段と、呼出に応答した電話端末と発信者の電話端末との間の回線を接続するとともに、着信を検出した電話端末と呼出に応答した電話端末とが異なる場合、呼出に応答した第１の電話端末の電話番号を発信者の電話端末に通知し、かつ発信者の電話端末の電話番号を第１の電話端末に通知する接続手段と設けたものである。
【０００６】
この場合、着信を検出した電話端末と、呼出に応答した電話端末とが異なる場合、接続手段は、呼出に応答した第１の電話端末と発信者の電話端末との間の回線を前記着信を検出した第２の電話端末を介して接続するものである。
【０００７】
また、テーブルに複数の電話端末の電話番号を１つの着信グループの電話番号として設定する設定手段を設け、前記設定手段として、着信グループに属する任意の電話端末のテーブルにこの着信グループに属する全ての電話端末の電話番号を設定する第１の設定手段と、第１の設定手段により設定された電話端末のテーブルの設定内容を電話番号の未設定の同一着信グループの電話端末に順次送信してこれらの電話端末のテーブルに順次設定させる第２の設定手段と、第２の設定手段によりこの着信グループに属する全ての電話端末のテーブルに電話番号が設定された後、新たな電話端末が前記着信グループに追加されると前記新たな電話端末に前記着信グループに属する任意の電話端末のテーブルの設定内容を送信して前記新たな電話端末のテーブルにこの新たな電話端末の電話番号とともに設定させる第３の設定手段と、第３の設定手段により設定された前記新たな電話端末のテーブルの内容を入力して着信グループに属する電話端末に順次送信しこれらの電話端末のテーブルに順次設定させる第４の設定手段とを有する。
【０００８】
また、本発明は、ＩＰネットワークに接続される複数の電話端末の電話番号を１つの着信グループの電話番号としてテーブルに設定する第１のステップと、着信を検出する第２のステップと、第２のステップの処理に基づき着信が検出されると、前記テーブルに設定された電話番号に応じた複数の電話端末に呼出を行う第３のステップと、第３のステップの処理に基づく呼出に応答した電話端末と発信者の電話端末との間の回線を接続するとともに、着信を検出した電話端末と呼出に応答した電話端末とが異なる場合、呼出に応答した第１の電話端末の電話番号を発信者の電話端末に通知し、かつ発信者の電話端末の電話番号を第１の電話端末に通知する第４のステップとをプログラム化しコンピュータに実行させるようにしたものである。
ここで、着信を検出した電話端末と呼出に応答した電話端末とが異なる場合、呼出に応答した第１の電話端末と発信者の電話端末との間の回線を着信を検出した第２の電話端末を介して接続する第５のステップをコンピュータに実行させるものである。
また、着信グループに属する任意の電話端末のテーブルにこの着信グループに属する全ての電話端末の電話番号を設定する第６のステップと、第６のステップの処理に基づき設定された電話端末のテーブルの設定内容を前記着信グループに属する電話番号の未設定の電話端末に順次送信してこれらの電話端末のテーブルに順次設定させる第７のステップと、第７のステップの処理に基づき着信グループに属する全ての電話端末のテーブルに電話番号が設定された後、新たな電話端末が着信グループに追加されると新たな電話端末に着信グループに属する任意の電話端末のテーブルの設定内容を送信して新たな電話端末のテーブルにこの新たな電話端末の電話番号とともに設定させる第８のステップと、第８のステップの処理に基づき設定された前記新たな電話端末のテーブルの内容を入力して前記着信グループに属する電話端末に順次送信しこれらの電話端末のテーブルに順次設定させる第９のステップとをコンピュータに実行させるものである。
【０００９】
【発明の実施の形態】
以下、本発明について図面を参照して説明する。
（第１の実施の形態）
図１は本発明に係るインターネット電話装置の構成を示すブロック図である。本電話装置は図１に示すように、発信側が用いるＩＰ電話端末１Ｘと、着信側の電話端末を表すＩＰ電話端末１Ａ〜１Ｃとから構成され、ＩＰ電話端末１ＸとＩＰ電話端末１Ａ〜１Ｃとは、ＩＰネットワーク（インターネット）２を介して接続される。また、ＩＰネットワーク２には、電話番号とＩＰアドレスとの対応を管理するゲートキーパーＧＫと呼ばれる装置が接続される。ここで、ＩＰ電話端末１Ａ〜１Ｃは後述するように１つの着信グループを構成し、発信者が前記着信グループのうちマスタとなる例えばＩＰ電話端末１Ａの電話番号を発信すると、ＩＰ電話端末１Ａに着信が到来し、この場合、ＩＰ電話端末１Ａは自端末にその着信を報知するとともに、前記着信グループを構成する他のＩＰ電話端末１Ｂ，１Ｃに対しても呼出を行って着信を報知可能にする。なお、ここで言う電話番号とは相手電話端末を特定するＩＤ番号である。
【００１０】
図２は、ＩＰ電話端末１Ｘ及びＩＰ電話端末１Ａ〜１Ｃの構成を示すブロック図である。ＩＰ電話端末１Ｘ及びＩＰ電話端末１Ａ〜１Ｃは、同様の構成を有しており、ＩＰ電話端末１の全体を制御する制御部１１と、スピーカ１２と、マイク１３と、音声信号及びデータをパケット化するとともに、受信パケットを解凍し復元する機能を有する音声／データ処理部１４と、ＩＰネットワーク２とのインタフェースであるＩＰネットワーク接続部１５と、メモリ１６と、表示部１７と、操作部１８とにより構成される。
【００１１】
図４は、ＩＰネットワーク２に接続された発側電話端末であるＩＰ電話端末１Ｘ、着側電話端末であるＩＰ電話端末１Ａ、及びゲートキーパーＧＫの動作状況を表す図である。
【００１２】
図２及び図４を参照して本電話装置の動作の概要を説明する。
発信者がＩＰ電話端末１Ｘの操作部１８を操作してＩＰ電話端末１Ａの電話番号をダイヤルすると、ＩＰ電話端末１Ｘの制御部１１によりこのダイヤル操作が検出されて音声／データ処理部１４を介しＩＰネットワーク接続部１５に送出される。ＩＰネットワーク接続部１５は図４の時点▲１▼でその電話番号をＩＰネットワークを介してゲートキーパーＧＫに渡し、図４の時点▲２▼でその電話番号に対応するＩＰアドレスを得る。そして得られたＩＰアドレスを図４の時点▲３▼でＩＰネットワーク２に向けて発信することにより、そのＩＰアドレスに応じたＩＰ電話端末１Ａに着信が伝達される。
【００１３】
ＩＰネットワーク２から伝達された着信はＩＰ電話端末１ＡのＩＰネットワーク接続部１５，音声／データ処理部１４を介して制御部１１に出力される。この場合、ＩＰ電話端末１Ａの制御部１１は、図示しないブザーを着信鳴動させＩＰ電話端末１Ａの利用者に着信を報知する。ここで、ＩＰ電話端末１Ａの利用者が操作部１８を用いこの着信に対する応答操作を行うと、この応答操作が制御部１１により検出されてＩＰネットワーク２側に着信応答が伝達されることにより、ＩＰ電話端末１ＡとＩＰ電話端末１Ｘとの間のＩＰ回線が確立され、ＩＰ電話端末１ＡとＩＰ電話端末１Ｘとの間で通話が開始される。
【００１４】
そして、通話中には、ＩＰ電話端末１Ｘのマイク１３に入力された発信者の音声信号はＩＰ電話端末１Ｘにより音声パケットに変換されてＩＰネットワーク２に送出され、ＩＰネットワーク２内を通ってＩＰ電話端末１Ａに達する。ＩＰ電話端末１Ａはこの音声パケットを受信すると音声信号に復元しスピーカ１２から送出させる。一方、ＩＰ電話端末１Ａのマイク１３に入力されたＩＰ電話端末１Ａの利用者の音声信号はＩＰ電話端末１Ａにより音声パケットに変換されてＩＰネットワーク２に送出され、ＩＰネットワーク２内を通ってＩＰ電話端末１Ｘに達する。ＩＰ電話端末１Ｘはその音声パケットを受信すると音声信号に復元しスピーカ１２から送出させる。このようにして、発信者とＩＰ電話端末１Ａの利用者との間でＩＰネットワーク２を介した通話を行うことができる。
【００１５】
なお、ＩＰ電話端末１Ａに着信が伝達された場合、そのＩＰ電話端末１Ａが他のＩＰ電話端末とともに同一着信グループに属しているいる場合は、ＩＰ電話端末１Ａは前述したようにその着信を、前記着信グループに属する他のＩＰ電話端末にも伝達して呼出を可能にする。
【００１６】
（第１の実施の形態）
図５は、着信が伝達されたときに同一着信グループに属する他のＩＰ電話端末に対して着信の伝達を可能にするグループテーブルの構成を示す図である。このグループテーブル１６Ａは、第１の実施の形態では、着信グループのマスタとなる例えばＩＰ電話端末１Ａのメモリ１６内に設けられ、ＩＰ電話端末１Ａの電話番号（XXX-YYY-ZZZZ）の他に、同一着信グループに属するスレーブ電話端末であるＩＰ電話端末１Ｂ，１Ｃの電話番号（YYY-ZZZ-XXXX，ZZZ-XXX-YYYY）が登録される。
【００１７】
そして、発側電話端末であるＩＰ電話端末１ＸからＩＰ電話端末１Ａの電話番号が発信され、ＩＰ電話端末１Ａに着信が伝達されたとき、ＩＰ電話端末１Ａの制御部１１は、前述したように自端末のブザーを着信鳴動して利用者に着信を報知するとともに、グループテーブル１６Ａの中からスレーブ電話端末であるＩＰ電話端末１Ｂの電話番号を読み出して発信することにより、ＩＰ電話端末１Ｂに着信を伝達する。さらに、ＩＰ電話端末１Ａの制御部１１は、前記グループテーブル１６Ａの中からスレーブ電話端末であるＩＰ電話端末１Ｃの電話番号を読み出して発信することにより、ＩＰ電話端末１Ｃに着信を伝達する。
【００１８】
このようにして、同一着信グループに属する他のＩＰ電話端末１Ｂ，１Ｃにも着信が伝達されＩＰ電話端末１Ｂ，１Ｃは着信鳴動し呼出を行う。ここで、呼出が行われた例えばＩＰ電話端末１Ｂの前記呼出に対する応答が検出されると、ＩＰ電話端末１Ａの制御部１１は、発側電話端末であるＩＰ電話端末１Ｘに対して、応答端末であるＩＰ電話端末１Ｂの電話番号を通知し、かつ応答端末であるＩＰ電話端末１Ｂに対して、発側電話端末であるＩＰ電話端末１Ｘの電話番号を通知する。ＩＰ電話端末１ＸとＩＰ電話端末１Ｂは、ＩＰ電話端末１Ａから通知された電話番号を受信すると、ＩＰ電話端末１Ａに解放完了を通知し、その後、ＩＰ電話端末の電話番号を受信したＩＰ電話端末１ＸとＩＰ電話端末１Ｘの電話番号を受信したＩＰ電話端末１Ｂとの間で「呼設定」、「呼設定受付」、「呼出」、「接続」の各メッセージが送受されることにより、ＩＰ電話端末１ＸとＩＰ電話端末１Ｂ間でＩＰ回線が確立されて両者が接続され通話が開始される。したがって、同一着信グループに属する他のＩＰ電話端末が海外等に配設されていた場合であってもそのＩＰ電話端末に呼出を行うことができ、そのＩＰ電話端末の呼出への応答により遠距離通話を行うことができる。また、ボタン電話装置やＰＢＸのような大がかりな装置や配線を要することなく複数のＩＰ電話端末を呼び出すことができる。
【００１９】
図６は、本電話装置の第１の実施の形態の動作を示すシーケンス図である。このシーケンス図に従い本電話装置の要部動作を説明する。
ＩＰ電話端末１ＸからマスタとなるＩＰ電話端末１Ａの電話番号が発信されると（ステップＳ１）、前述したようにＩＰ電話端末１Ａに着信が伝達される。ＩＰ電話端末１Ａではその着信を検出すると（ステップＳ２）、自身の着信鳴動を行い（ステップＳ３）、かつグループテーブル１６Ａの電話番号をもとにスレーブ電話端末１Ｂ宛に発呼して着信鳴動させる着信鳴動要求を行って（ステップＳ４）、その電話端末１Ｂを着信鳴動させ呼出を行わせる（ステップＳ５）。また、スレーブＩＰ電話端末１Ｃに対しても着信鳴動要求を行って（ステップＳ６）、そのＩＰ電話端末１Ｃを着信鳴動させ呼出を行わせる（ステップＳ７）。
【００２０】
このように各ＩＰ電話端末１Ａ〜１Ｃが着信鳴動中に、ＩＰ電話端末１Ｂにおいて利用者の着信応答操作（呼出への応答操作）が検出されると（ステップＳ８）、ＩＰ電話端末１ＢはＩＰ電話端末１Ａに対し着信応答要求を行う（ステップＳ９）。すると、ＩＰ電話端末１Ａは、ＩＰ電話端末１Ｘからの着信に応答して、前記応答要求したＩＰ電話端末１Ｂの電話番号をＩＰ電話端末１Ｘに通知した（ステップＳ１０）後ＩＰ電話端末１Ｘとの接続を断するとともに、自身の着信鳴動を停止する等の着信停止処理を行う（ステップＳ１１）。また、このとき電話端末１Ａは、ＩＰ電話端末１Ｂに着信停止要求を行って（ステップＳ１２）、そのＩＰ電話端末１Ｂに着信停止処理を行わせる（ステップＳ１３）。また、ＩＰ電話端末１Ｃに対しても着信停止要求を行って（ステップＳ１４）、そのＩＰ電話端末１Ｃに着信停止処理を行わせる（ステップＳ１５）。さらにＩＰ電話端末１Ａは応答要求したＩＰ電話端末１Ｂと回線接続を行って、着信時に受信しているＩＰ電話端末１Ｘの電話番号をＩＰ電話端末１Ｂに通知（ステップＳ１６）した後、ＩＰ電話端末１Ｂとの接続を断する。
【００２１】
このようにして、発側電話端末であるＩＰ電話端末１Ｘには着側電話端末であるＩＰ電話端末１Ｂの電話番号が通知されるとともに、ＩＰ電話端末１ＢにはＩＰ電話端末１Ｘの電話番号が通知される。ＩＰ電話端末１Ｘ及びＩＰ電話端末１Ｂは、ＩＰ電話端末１Ａから通知された電話番号を受信した後、ＩＰ電話端末１Ａ側に解放完了を通知し、その後、ＩＰ電話端末１ＸとＩＰ電話端末１Ｂとの間で前述した「呼設定」、「呼設定受付」、「呼出」、「接続」の各メッセージが送受されることにより、ＩＰ電話端末１ＸとＩＰ電話端末１Ｂ間でＩＰ回線が確立され（ステップＳ１７）、ＩＰ電話端末１ＸとＩＰ電話端末１Ｂ間の回線が接続されて両者の間で通話が行われる（ステップＳ１８）。
【００２２】
また、各ＩＰ電話端末１Ａ〜１Ｃが着信鳴動中に、ＩＰ電話端末１Ａにおいて利用者の着信応答操作が検出されると（ステップＳ２０）、ＩＰ電話端末１Ａは、自身の着信停止処理を行い（ステップＳ２１）、さらにＩＰ電話端末１Ｂに着信停止要求を行って（ステップＳ２２）、そのＩＰ電話端末１Ｂに着信停止処理を行わせる（ステップＳ２３）。また、ＩＰ電話端末１ＡはＩＰ電話端末１Ｃに対しても着信停止要求を行って（ステップＳ２４）、そのＩＰ電話端末１Ｃに着信停止処理を行わせる（ステップＳ２５）。その後、ＩＰ電話端末１ＡはＩＰ電話端末１ＸとＩＰ回線を確立する処理を行い通話を開始する（ステップＳ２６）。
【００２３】
（第２の実施の形態）
第１の実施の形態では、１つの着信グループの各ＩＰ電話端末１Ａ〜１Ｃのうち、マスタとなるＩＰ電話端末１Ａにグループテーブル１６Ａを設け、発信者がマスタであるＩＰ電話端末１Ａの電話番号を発信することにより、その着信グループに属する全てのＩＰ電話端末１Ａ〜１Ｃを着信鳴動させ呼出できるように構成した。第２の実施の形態では、着信グループ内の全てのＩＰ電話端末１Ａ〜１Ｃにグループテーブル１６Ａを設け、発信者が各ＩＰ電話端末１Ａ〜１Ｃの何れの電話番号を発信しても、この着信グループに属する全てのＩＰ電話端末１Ａ〜１Ｃを着信鳴動させ呼出できるように構成する。
【００２４】
図７は、第２の実施の形態におけるグループテーブル１６Ａの設定動作を示すシーケンス図である。
最初に例えばＩＰ電話端末１Ａのグループテーブル１６ＡにＩＰ電話端末１Ａ〜１Ｃの電話番号が設定されたとすると（ステップＳ３０）、ＩＰ電話端末１Ａはこのテーブルの設定内容を、このテーブルに設定されたＩＰ電話端末１Ｂの電話番号をもとにＩＰ電話端末１Ｂに送信する（ステップＳ３１）。ＩＰ電話端末１Ｂは送信されてきたテーブル設定内容を受信すると、自身のグループテーブル１６Ａに設定する（ステップＳ３２）とともに、このテーブル設定内容を、このテーブルに設定されたＩＰ電話端末１Ｃの電話番号をもとにＩＰ電話端末１Ｃに送信する（ステップＳ３３）。ＩＰ電話端末１Ｃは送信されてきたテーブル設定内容を受信すると、自身のグループテーブル１６Ａに設定する（ステップＳ３４）。なお、最初にＩＰ電話端末１Ａのグループテーブル１６ＡにＩＰ電話端末１Ａ〜１Ｃの電話番号が設定されたときに、ＩＰ電話端末１Ａから順次、ＩＰ電話端末１Ｂ，１Ｃにテーブル設定内容を送信してＩＰ電話端末１Ｂ，１Ｃのグループテーブル１６Ａに設定させるようにしても良い。
【００２５】
このようにして、各ＩＰ電話端末１Ａ〜１Ｃのグループテーブル１６Ａには、自身の電話番号の他に、その着信グループに属する他の電話端末の電話番号を設定することができる。この結果、発信者が各ＩＰ電話端末１Ａ〜１Ｃの何れかの電話番号を発信した場合、その発信に基づき着信が伝達された電話端末は自身を着信鳴動するとともに、グループテーブル１６Ａに設定された電話番号をもとに他の電話端末に着信鳴動要求を行って着信鳴動させることができる。
【００２６】
ここで、このような着信グループに、新たにＩＰ電話端末１Ｄを追加する場合は、そのＩＰ電話端末１Ｄのグループテーブル１６ＡにそのＩＰ電話端末１Ｄの電話番号とともに前記着信グループのうちの１つの例えばＩＰ電話端末１Ｃの電話番号を設定する（ステップＳ４０）。すると、ＩＰ電話端末１は、自身のグループテーブル１６Ａに設定されたＩＰ電話端末１Ｃの電話番号をもとにＩＰ電話端末１Ｃにテーブル設定内容の取得要求を行う（ステップＳ４１）。すると、ＩＰ電話端末１Ｃは自身のグループテーブル１６Ａに設定されたテーブル内容をＩＰ電話端末１Ｄに送信する（ステップＳ４２）。ＩＰ電話端末１Ｄは、送信されてきたテーブルの設定内容を受信すると、この受信設定内容に自身の電話番号を付加したテーブルデータとして自身のグループテーブル１６Ａに設定し（ステップＳ４３）、さらにこのテーブル設定内容を、自身のグループテーブル１６Ａに設定されたＩＰ電話端末１Ｃの電話番号をもとにＩＰ電話端末１Ｃに送信する（ステップＳ４４）。
【００２７】
ＩＰ電話端末１Ｃは送信されてきたテーブル設定内容を受信すると、自身のグループテーブル１６Ａに設定する（ステップＳ４５）とともに、このテーブル設定内容を、このテーブルに設定されたＩＰ電話端末１Ｂの電話番号をもとにＩＰ電話端末１Ｂに送信する（ステップＳ４６）。ＩＰ電話端末１Ｂは送信されてきたテーブル設定内容を受信すると、自身のグループテーブル１６Ａに設定し（ステップＳ４７）、かつこのテーブル設定内容を、このテーブルに設定されたＩＰ電話端末１Ａの電話番号をもとにＩＰ電話端末１Ａに送信する（ステップＳ４８）。ＩＰ電話端末１Ａは送信されてきたテーブル設定内容を受信すると、自身のグループテーブル１６Ａに設定する（ステップＳ４９）。なお、ＩＰ電話端末１Ｃは、ＩＰ電話端末１Ｄからのテーブル設定内容をグループテーブル１６Ａに設定したときに、このテーブル設定内容を順次、ＩＰ電話端末１Ｂ，１Ａに送信してＩＰ電話端末１Ｂ，１Ａのグループテーブル１６Ａに設定させるようにしても良い。
【００２８】
図８は、本電話装置の第２の実施の形態の動作を示すシーケンス図である。このシーケンス図に従い本電話装置の要部動作を説明する。
ＩＰ電話端末１ＸからＩＰ電話端末１Ａの電話番号が発信されると（ステップＳ５０）、ＩＰ電話端末１Ａに着信が伝達される。ここで、最初に着信が伝達されたＩＰ電話端末１Ａがマスタとなり、ＩＰ電話端末１Ａではその着信を検出すると（ステップＳ５１）、自端末の着信鳴動を行い（ステップＳ５２）、かつグループテーブル１６Ａの電話番号をもとにスレーブＩＰ電話端末１Ｂ宛に着信鳴動要求を行って（ステップＳ５３）、そのＩＰ電話端末１Ｂを着信鳴動させ呼出を行わせる（ステップＳ５４）。また、スレーブＩＰ電話端末１Ｃに対しても着信鳴動要求を行って（ステップＳ５５）、そのＩＰ電話端末１Ｃを着信鳴動させ呼出を行わせる（ステップＳ５６）。
【００２９】
このように各ＩＰ電話端末１Ａ〜１Ｃが着信鳴動中に、ＩＰ電話端末１Ｂにおいて利用者の着信応答操作（呼出への応答操作）が検出されると（ステップＳ５７）、ＩＰ電話端末１ＢはＩＰ電話端末１Ａに対し着信応答要求を行う（ステップＳ５８）。すると、ＩＰ電話端末１Ａは発側電話端末であるＩＰ電話端末１Ｘからの着信に応答してＩＰ電話端末１Ｘとの間でＩＰ回線を確立する処理を行う（ステップＳ５９）とともに、自身の着信鳴動を停止する等の着信停止処理を行う（ステップＳ６０）。また、このときＩＰ電話端末１Ａは、ＩＰ電話端末１Ｂに着信停止要求を行って（ステップＳ６１）、そのＩＰ電話端末１Ｂに着信停止処理を行わせる（ステップＳ６２）。また、ＩＰ電話端末１Ｃに対しても着信停止要求を行って（ステップＳ６３）、そのＩＰ電話端末１Ｃに着信停止処理を行わせる（ステップＳ６４）。さらに、ＩＰ電話端末１Ａは着側電話端末であるＩＰ電話端末１Ｂとの間でＩＰ回線を確立する処理を行う（ステップＳ６５）。
【００３０】
このようにして、ＩＰ電話端末１Ａは発側電話端末であるＩＰ電話端末１Ｘとの間でＩＰ回線を確立するとともに、着側電話端末であるＩＰ電話端末１Ｂとの間でＩＰ回線を確立することにより、ＩＰ電話端末１ＸとＩＰ電話端末１Ｂ間はＩＰ電話端末１Ａを介して接続される。この場合、ＩＰ電話端末１Ａは、ＩＰ電話端末１Ｘからの発信者の音声パケットを受信するとこの受信音声パケットをＩＰ電話端末１Ｂへ送信するとともに、ＩＰ電話端末１Ｂからの音声パケットを受信するとこの受信音声パケットをＩＰ電話端末１Ｘへ送信する。これにより、ＩＰ電話端末１Ａを中継した通話が行われる（ステップＳ６６）。
【００３１】
こうしたＩＰ電話端末１Ａを中継したＩＰ電話端末１ＸとＩＰ電話端末１Ｂ間における通話中に、ＩＰ電話端末１Ｘで終話操作が検出されると（ステップＳ６７）、ＩＰ電話端末１ＸはＩＰ電話端末１Ａに回線切断要求を行う（ステップＳ６８）。すると、ＩＰ電話端末１ＡはＩＰ電話端末１Ｘとの間の回線を切断する（ステップＳ６９）とともに、ＩＰ電話端末１Ｂとの間の回線を切断する（ステップＳ７０）。
【００３２】
また、ＩＰ電話端末１Ａを中継したＩＰ電話端末１ＸとＩＰ電話端末１Ｂ間における通話中に、ＩＰ電話端末１Ｂで終話操作が検出されると（ステップＳ８０）、ＩＰ電話端末１ＢはＩＰ電話端末１Ａに回線切断要求を行う（ステップＳ８１）。すると、ＩＰ電話端末１ＡはＩＰ電話端末１Ｂとの間の回線を切断する（ステップＳ８２）とともに、ＩＰ電話端末１Ｘとの間の回線を切断する（ステップＳ８３）。
【００３３】
以上の図６〜図８の各シーケンス図に示す動作を行うＩＰ電話端末１の制御部１１には図３に示すように、ＣＰＵ１１Ａと、記録媒体１１Ｂとが設けられ、ＣＰＵ１１Ａが記録媒体１１Ｂに格納されたプログラムを読み出して実行することにより上記の動作を実現する。
【００３４】
【発明の効果】
以上説明したように本発明によれば、ＩＰネットワークに接続されＩＰネットワークを介し通話が可能な複数の電話端末からなる電話装置において、複数の電話端末の少なくとも１つに、複数の電話端末の電話番号を１つの着信グループの電話番号として設定可能なテーブルと、着信を検出する検出手段と、検出手段により着信が検出されると、テーブルに設定された電話番号に応じた複数の電話端末に呼出を行う呼出手段とを設け、呼出に応答した電話端末と発信者の電話端末との間の回線を接続するようにしたので、発信者の発信時に複数の電話端末への呼出が可能になるとともに、呼出に応答した電話端末と発信者間を接続し通話させることも可能になる。
【００３５】
ここで、着信を検出した電話端末と、呼出に応答した電話端末とが異なる場合、呼出に応答した第１の電話端末の電話番号を発信者の電話端末に通知し、かつ発信者の電話端末の電話番号を第１の電話端末に通知するように構成したので、簡単に両者を接続して通話を行わせることができる。
また、着信を検出した電話端末と、呼出に応答した電話端末とが異なる場合、呼出に応答した第１の電話端末と発信者の電話端末との間の回線を前記着信を検出した第２の電話端末を介して接続するようにしたので、同様に簡単に両者を接続して通話を行わせることができる。
【００３６】
また、前記テーブルに複数の電話端末の電話番号を１つの着信グループの電話番号として設定する設定手段を設け、この設定手段により、同一着信グループに属する全ての電話端末のテーブルにこの着信グループに属する全ての電話端末の電話番号を設定するようにしたので、発信者はこの着信グループに属する何れかの電話端末の電話番号を発信するだけて、全ての電話端末を呼び出すことが可能になる。
【図面の簡単な説明】
【図１】  本発明に係るインターネット電話装置の構成を示すブロック図である。
【図２】  上記インターネット電話装置を構成するＩＰ電話端末のブロック図である。
【図３】  上記ＩＰ電話端末のハードウェア構成を示す図である。
【図４】  ＩＰネットワークに接続されるＩＰ電話端末及びゲートキーパーの動作状況を示す図である。
【図５】  ＩＰ電話端末に設けられたグループテーブルの構成を示す図である。
【図６】  上記電話装置の第１の実施の形態の動作を示すシーケンス図である。
【図７】  上記電話装置におけるグループテーブルの設定動作を示すシーケンス図である。
【図８】  上記電話装置の第２の実施の形態における動作を示すシーケンス図である。
【符号の説明】
１，１Ａ，１Ｂ，１Ｃ,１Ｘ…ＩＰ電話端末、２…ＩＰネットワーク、１１…制御部、１２…スピーカ、１３…マイク、１４…音声／データ処理部、１５…ＩＰネットワーク接続部、１６…メモリ、１６Ａ…グループテーブル、１７…表示部、１８…操作部、ＧＫ…ゲートキーパー。
【図１】
0003915570.tif 000002
【図２】
0003915570.tif 000003
【図３】
0003915570.tif 000004
【図４】
0003915570.tif 000005
【図５】
0003915570.tif 000006
【図６】
0003915570.tif 000007
【図７】
0003915570.tif 000008
【図８】
0003915570.tif 000009